(57)【特許請求の範囲】
【請求項１】
高速で回転するモータの軸に取り付けられた複数の羽根を有する円板形状の回転ファンと、前記モータのフレームに圧入固定され前記回転ファンを覆うように取り付けられかつ前記回転ファンの中心部に対向する位置に吸気用孔を有する椀型形状のファンケースと、前記吸気用孔に取り付けられて吸入された気体を前記回転ファンの羽根に導く略円筒形状のシーリング部を有する合成樹脂性のファンケーススペーサとを備え、
前記ファンケースと前記ファンケーススペーサとの隙間から前記ファンケースの外側へ空気が漏れないようにするために、前記ファンケーススペーサは前記吸気用孔に嵌合する環状の凸部を有し、前記環状の凸部を前記吸気用孔に嵌合した後に全周にわたって溶融変形させて前記ファンケーススペーサと前記ファンケースとを隙間なく固定して結合させることを特徴とする電動送風機。
【発明の詳細な説明】
【０００１】
【発明の属する技術分野】
本発明は、家庭用電気掃除機などに用いられる電動送風機に関する。
【０００２】
【従来の技術】
従来、電動送風機は特開平５−７６１５３号公報に記載されたものが知られている。
【０００３】
図７に従来の電動送風機の構造を示す半断面図、図８に従来のファンケースとファンケーススペーサの取り付け状態を示す平面図、図９は上記構成を示す半断面図である。図７，図８，図９において、１は内部にステータ２、および高速回転するロータ３を有するモータ、４はロータ３の回転軸３ａに固定されロータ３とともに回転する回転ファン、５は回転ファン４の前方に位置し、中央部に回転ファン４側へ突出した略円筒状の吸い込み口６ａとシーリング部６ｂを有する樹脂よりなるファンケーススペーサ６を有するファンケースにより構成されている。また、ファンケース５とファンケーススペーサ６はファンケーススペーサ６より突出した複数の凸部６ｃを溶融変形させて固定されている。
【０００４】
以上のように構成された送風機について、以下その動作について説明する。モータ１に
電源が印加されるとロータ３が高速で回転する。次にロータ３が回転することにより回転軸３ａに固定された回転ファン４が回転する。よって、回転ファン４が高速回転することによりファンケーススペーサ６ａから空気を吸い込み、回転ファン４の内部を通ってモータ１の内部へ導かれる。その後、モータ１の内部へ導かれた空気はモータ１を冷却しながら外部へ排出される。
【０００５】
しかしながら、上記のような構成では、ファンケースとファンケーススペーサの固定がファンケーススペーサの複数の凸部をファンケースとの間で溶融変形させて固定した構成となっていることや部品の加工寸法精度および組立寸法精度の関係上、溶融変形させて固定した以外の当接部の固定が不安定となり、ファンケースとファンケーススペーサの気密性が低下し、図９のように当接部の隙間からファンケースの外側へ空気が漏れて送風効率が低下するという課題を有していた。
【０００６】
【発明が解決しようとする課題】
本発明は、上記従来例の課題点を鑑み、ファンケースとファンケーススペーサの固定に際し、ファンケースとファンケーススペーサとの間の気密性を確実に確保し、ファンケーススペーサの溶融変形させて固定した固定部以外のファンケースとの当接部よりファンケース側へ漏れる空気の流れを減少させて送風効率を高められるようにした電動送風機を提供することを目的とする。
【０００７】
【課題を解決するための手段】
上記課題点を解決するために本発明の電動送風機は、ファンケーススペーサに設けたファンケースに嵌合する環状の凸部を全周にわたって溶融変形させ、ファンケースとの間を隙間なく固定するものである。
【０００８】
以上により、従来のようなファンケースとファンケーススペーサとの溶融変形させて固定した固定部以外のファンケースとの当接部よりファンケース側へ漏れる空気の流れをなくして送風効率の高い電動送風機が得られる。
【０００９】
【発明の実施の形態】
本発明は、高速で回転するモータの軸に取り付けられた複数の羽根を有する円板形状の回転ファンと、前記モータのフレームに圧入固定され前記回転ファンを覆うように取り付けられかつ回転ファンの中心部に対向する位置に吸気用孔を有する椀型形状のファンケースと、前記吸気用孔に取り付けられて吸入された気体を前記回転ファンの羽根に導く略円筒形状のシーリング部を有する合成樹脂性のファンケーススペーサとからなる電動送風機のファン組立において、前記ファンケースと前記ファンケーススペーサとの隙間から前記ファンケースの外側へ空気が漏れないようにするために、前記ファンケーススペーサは前記吸気用孔に嵌合する環状の凸部を有し、前記環状の凸部を前記吸気用孔に嵌合した後に全周にわたって溶融変形させることによりファンケーススペーサとファンケースとを隙間なく固定して結合するものであり、全周にわたって環状にファンケースとの間を隙間なく固定するのでファンケーススペーサからファンケースへの空気の漏れを無くして送風効率を高められるという作用を有する。
【００１０】
なお、ファンケースとファンケーススペーサとの間に吸気用孔を包囲するリング形状で気密性の高い弾性体を介して固定する構成では、各部品の加工精度のばらつきを吸収し、かつファンケーススペーサからファンケースへの空気の漏れをなくすことができるので送風効率を高めるとともに電動送風機の吸い込み力のばらつきを抑えることができる。
【００１１】
なお、高速で回転するモータの軸に取り付けられた複数の羽根を有する円板形状の回転ファンと、前記モータのフレームに圧入固定され前記回転ファンを覆うように取り付けられ且つ回転ファンの中心部に対向する位置に回転ファンの入り口径より大なる径の吸気用孔を有する椀型形状のファンケースと、前記吸気用孔に取り付けられて吸入された気体を前記回転ファンの羽根に導く略円筒形状のシーリング部を有する合成樹脂性のファンケーススペーサとからなる電動送風機のファン組立において、前記吸気用孔は複数の切り欠き部を有し、前記ファンケーススペーサを前記ファンケースに一体成形により直接形成することによりファンケーススペーサとファンケースとを隙間なく結合する構成では、一体成型によりファンケースとの気密性が向上することで送風効率を高めることができる。
【００１２】
【実施例】
以下、本発明の実施例について図面を用いて説明する。
【００１３】
（実施例１）
図１は本発明の電動送風機の構成を示す半断面図で、図２は上記構成の詳細を表す断面拡大図で、図３は本発明のファンケースとファンケーススペーサの取り付け状態を示す平面図で、図４は本発明の別の実施例における電動送風機の構成の詳細を表す拡大断面図である。図１，図２，図３，図４において、１はモータ、２はステータ、３はロータ、４は回転ファン、５はファンケースであり、これらは従来例と同一である。７はファンケーススペーサであり、中央部に回転ファン４側へ突出した略円筒状の吸い込み口７ａとシーリング部７ｂを有する樹脂よりなり、ファンケーススペーサ７とファンケース５との固定はファンケーススペーサ７から突出した環状の凸部７ｃを溶融変形させてファンケース５に固定している。
【００１４】
以上のような実施例１の構成のもとで、モータ１に電源が印加されるとロータ３が高速で回転する。次にロータ３が回転することにより回転軸３ａに固定された回転ファン４が回転する。よって、回転ファン４が高速回転することによりファンケーススペーサ７の吸い込み口７ａから空気を吸い込み、回転ファン４の内部を通ってモータ１内部へ導かれる。ここで、回転ファン４の出口から排出された空気は、ファンケース５とファンケーススペーサ７の固定がファンケーススペーサの環状の凸部７ｃを溶融変形させて固定して気密性を確保しているので、当接部の隙間からファンケース側への空気の逆流ができず、回転ファン４の出口からモータ１内部へ漏れることなくスムーズに導かれるようになる。また、環状に溶融変形させて固定しているので固定強度も強化することができる。
【００１５】
（参考例１）
なお、図５は参考例１の電動送風機の構成の詳細を示す断面拡大図である。図５において１はモータ、４は回転ファン、５はファンケース、６はファンケーススペーサであり、これらは従来例と同一である。８は気密性の高い弾性体で、好ましくはポリテトラフロロエチレン（ＰＴＦＥ）樹脂等により構成される。弾性体８はファンケース５とファンケーススペーサ６との間に介して固定している。
【００１６】
以上のような参考例１の構成のもとでは、ファンケースとファンケーススペーサとの間を気密性の高い弾性体を介して気密性を確保しているので、従来のようなファンケースとファンケーススペーサとの当接部の隙間からファンケース側への空気の逆流ができず、回転ファン４の出口からモータ１内部へ漏れることなくスムーズに導かれるようになる。
【００１７】
（参考例２）
なお、図６は参考例２の電動送風機の構成の詳細を示す断面拡大図である。図６において１はモータ、４は回転ファン、９はファンケースで中央に回転ファン４の入口径より大きい孔とその孔の外周部に複数の切り欠き部９ａより構成されている。１０はファンケース９の複数の切り欠き部９ａを覆い、一体成型により形成固定された樹脂よりなるファンケーススペーサである。
【００１８】
以上のような参考例２の構成のもとでは、ファンケースとファンケーススペーサを一体成型にて形成固定し、気密性を確保しているので、従来のようなファンケースとファンケーススペーサとの当接部の隙間からファンケース側への空気の逆流ができず、回転ファン４の出口からモータ１内部へ漏れることなくスムーズに導かれるようになる。また、従来のようにファンケースとファンケーススペーサを組み付ける必要がなく組立によるばらつきもなくすことができる。
【００１９】
【発明の効果】
本発明によれば、ファンケースとファンケーススペーサとの固定に際し、溶融変形させて固定した固定部を従来のような複数箇所だけでなく環状に溶融変形させて固定する構成となっているため、ファンケースとファンケーススペーサとの間の固定が確実となり、固定部における空気の漏れを防ぐことができるため、真空圧が高くなり、高出力の電動送風機を得ることができる。更には、環状に固定しているのでファンケースとファンケーススペーサの取り付け強度が増加し信頼度の高い電動送風機を提供できるという利点もある。
【図面の簡単な説明】
【図１】  本発明の電動送風機の構成を示す半断面図
【図２】  本発明の電動送風機の構成の詳細を表す断面拡大図
【図３】  本発明のファンケースとファンケーススペーサの取り付け状態を示す平面図
【図４】  本発明の別の実施例における電動送風機の構成の詳細を表す断面拡大図
【図５】  参考例１の電動送風機の構成の詳細を示す断面拡大図
【図６】  参考例２の電動送風機の構成の詳細を示す断面拡大図
【図７】  従来の電動送風機の構造を示す半断面図
【図８】  従来のファンケースとファンケーススペーサの取り付け状態を示す平面図
【図９】  従来の電動送風機のファンケーススペーサの非溶融変形固定部を示す拡大断面図
【符号の説明】
１  モータ
４  回転ファン
５  ファンケース
７ｃ  環状の凸部
８  弾性体
９ａ  切り欠き部
１０  ファンケーススペーサ
【図１】
0004042181.tif 000002
【図２】
0004042181.tif 000003
【図３】
0004042181.tif 000004
【図４】
0004042181.tif 000005
【図５】
0004042181.tif 000006
【図６】
0004042181.tif 000007
【図７】
0004042181.tif 000008
【図８】
0004042181.tif 000009
【図９】
0004042181.tif 000010